(57)【要約】【課題】操作手段の着脱が簡単にでき、扉の戸先側荷重を大きくしない着脱可能な操作手段を備えた扉装置を提供することである。【解決手段】扉３の戸先側の縦框面３ａから操作手段４を扉３に着脱可能に組付ける。また、扉３の戸先部分に回動可能に上下方向の中空パイプの作動ロッド３９を設ける。操作手段４の着脱時には、操作手段４の上下方向に回動可能な操作軸４７の駆動係合部４８ａが作動ロッド３９の従動係合部４９ａと係脱する。このとき、作動ロッド３９が自重により下方に移動しないので着脱が簡単にできる。また、作動ロッド３９の上下方向摺動を支持しないので、大きな支持部が不要となり、扉３が軽くなる。【選択図】　図２
2004052321.tif 000002
【特許請求の範囲】
【請求項１】
扉枠に開閉自在に蝶着した扉の戸先側の縦框面から操作手段を扉内に着脱可能に組付け、操作手段のハンドルにより、扉の戸先に設けた上下方向の作動ロッドを介して、扉の戸先部とこれと対応する扉枠との間に介在した扉閉鎖装置を操作するようにした着脱可能な操作手段を備えた扉装置において、前記作動ロッドを上下方向軸線回りに回動するように設け、操作手段のケースにハンドル操作により上下方向軸線回りに回動する操作軸を設け、ケースから突出した操作軸の作動ロッドと対向する対向端部に駆動係合部を設け、作動ロッドの操作軸との対向端部に従動係合部を設け、操作手段の扉からの嵌め外しにより駆動係合部と従動係合部とが係脱して、係合状態において駆動係合部の回転を従動係合部に伝達することを特徴とする着脱可能な操作手段を備えた扉装置。
【請求項２】
作動ロッドには、縦框面から挿入された回り止め具が嵌合し従動係合部の位相を固定する回転防止用孔が設けられていることを特徴とする請求項１記載の着脱可能な操作手段を備えた扉装置。
【請求項３】
作動ロッドの従動係合部と操作軸の駆動係合部の一方には回転軸心を一致させるための位置決め突起が設けられ、他方には位置決め突起が嵌合する位置決め凹部が設けられていることを特徴とする請求項１または２記載の着脱可能な操作手段を備えた扉装置。
【請求項４】
作動ロッドは中空パイプであり、その末端に樹脂製のロッドエンドキャップを一体に固着し、ロッドエンドキャップに従動係合部である溝部を形成し、操作軸に設けたキャップに駆動係合部である凸部を形成したことを特徴とする請求項１〜３何れか１項記載の着脱可能な操作手段を備えた扉装置。
【発明の詳細な説明】
【０００１】
【発明の属する技術分野】
この発明は、戸先に設けた上下方向の作動ロッドを介して扉の戸先部とこれに対応する扉枠間に介在した扉閉鎖装置を操作する操作手段を、扉の戸先側の縦框面から扉内に着脱可能に組付けた扉装置に関する。
【０００２】
【従来の技術】
上記の扉装置として、▲１▼特開２００１−３１７２４１号や実公平８−５２６０号や実公平３−２１４１５号や実用新案登録第２５９８２８２号等に開示のものが知られている。これらは、扉の戸先部分に上下方向に夫々伸びる上、下作動ロッドを備えており、上作動ロッドの上端が係合する上枠に設けられた上受金と、下作動ロッドの下端が係合する下枠に設けられた下受金とから扉閉鎖装置を構成している。上作動ロッドの下端と下作動ロッドの上端は、操作手段である錠箱に連繋されており、操作手段のハンドルを操作することで上作動ロッドは上枠へ向けて、下作動ロッドは下枠へ向けて扉から突出し、夫々上、下受金に係合するようになっている。その操作手段は、戸先側の縦框面から扉内に着脱できるようになっており、操作手段が壊れた場合の修理や交換の際には、操作手段と上、下作動ロッドとの係合を解除し、扉から操作手段を取り外し、修理及び交換ができるようになっている。
【０００３】
【発明が解決しようとする課題】
前記の従来のものでは、上作動ロッドの上昇と下作動ロッドの下降とによって扉を閉鎖するようになっているので、操作手段を交換する際に、操作手段が扉から外されると作動ロッドは自重により下がり、上作動ロッドは扉内に引込まれ、下作動ロッドは扉から床面に突出し、上作動ロッドの末端（下端）と下作動ロッドの末端（上端）間距離が、上、下作動ロッドが扉内に引込まれた状態での上、下作動ロッドの末端間距離と異なるために、操作手段を扉に組み込む際に、上作動ロッドの末端と下作動ロッドの末端が操作手段と係合できない。このため、操作手段交換のときには、下作動ロッドの自重による落下を防止し、上、下作動ロッドが扉内に引込まれた状態にする必要があった。
【０００４】
また、上、下作動ロッドの上下動によって扉の閉鎖と閉鎖解除とを行うので、操作手段は、ハンドルの回動動作を上下方向動作として作動ロッドに伝えるスライダを備え、このためスライダの上下動を操作手段内で行えるように上下方向に大きくなっており、扉に操作手段を組み込んだ際の戸先側の重量を大きくしていた。または、実用新案登録第２５９８２８２号のように扉側に作動ロッドを上下動するための作動機構が設けられており、操作手段と共に戸先側の重量を大きくしていた。そして、これら従来のものでは、作動ロッドの上下方向摺動を支持する支持部分が大きく（長く）なっており、その作動ロッドの支持部分が、操作手段または扉の操作手段が嵌め込まれる戸先側に設けられているため、更に扉を重くしていた。このように、戸先側の重量が大きくなるので吊元側のヒンジを大きな重量に耐えられるものにしなければならなかった。
本願の課題は、操作手段の交換や修理の際に、扉への操作手段の着脱が容易に行え、また、重量が軽く戸先側重量を大きくしない着脱可能な操作手段を備えた扉装置を提供することである。
【０００５】
【課題を解決するための手段】
前記課題解決のため本願発明では、扉枠に開閉自在に蝶着した扉の戸先側の縦框面から操作手段を扉内に着脱可能に組付け、操作手段のハンドルにより、扉の戸先に設けた上下方向の作動ロッドを介して、扉の戸先部とこれと対応する扉枠との間に介在した扉閉鎖装置を操作するようにした着脱可能な操作手段を備えた扉装置において、前記作動ロッドを上下方向軸線回りに回動するように設け、操作手段のケースにハンドル操作により上下方向軸線回りに回動する操作軸を設け、ケースから突出した操作軸の作動ロッドと対向する対向端部に駆動係合部を設け、作動ロッドの操作軸との対向端部に従動係合部を設け、操作手段の扉からの嵌め外しにより駆動係合部と従動係合部とが係脱して、係合状態において駆動係合部の回転を従動係合部に伝達することを特徴とする（請求項１）。これによれば、作動ロッドの上下方向軸線回りの回動により扉閉鎖手段が操作されるので、操作手段を扉から外したとき、作動ロッドが自重によって下方に落下することがなく、操作手段の着脱が容易に行え好ましい。また、操作軸の回動を伝達して作動ロッドを回動し扉閉鎖装置を操作するので、上下方向摺動するスライダがなくなり操作手段が小さく軽くなると共に作動ロッドの上下方向摺動を支持しないので、大きな支持部が不要となり、扉の戸先側重量を軽減できる。
【０００６】
作動ロッドには、縦框面から挿入された回り止め具が嵌合し従動係合部の位相を固定する回転防止用孔が設けられていることを特徴とする（請求項２）。これによれば、回り止め具によって作動ロッドの回転が防止され、従動係合部の位相を駆動係合部が嵌め込み可能な位置に固定できるので、操作手段の組み付け時に駆動係合部と従動係合部との係合が容易に行える。
【０００７】
作動ロッドの従動係合部と操作軸の駆動係合部の一方には回転軸心を一致させるための位置決め突起が設けられ、他方には位置決め突起が嵌合する位置決め凹部が設けられていることを特徴とする（請求項３）。位置決め突起と位置決め凹部との嵌り合いにより作動ロッドと操作軸の回転軸心を確実に一致できる。
【０００８】
作動ロッドは中空パイプであり、その末端に樹脂製のロッドエンドキャップを一体に固着し、ロッドエンドキャップに従動係合部である溝部を形成し、操作軸に設けたキャップに駆動係合部である凸部を形成したことを特徴とする（請求項４）。これによれば、より扉を軽くすることができる。
【０００９】
【発明の実施の形態】
本願発明の実施の形態について図１〜図１３に基づいて説明する。図１に示す扉装置１は、扉枠２と、扉枠２に開閉自在に蝶着した扉３と、扉３と扉枠２との間に介在した扉閉鎖装置３０とから成り、扉閉鎖装置３０を、扉３に設けた操作手段４の押し引きハンドル５を操作することにより作動ロッド３９を介して解除し、また、その押し引きハンドル５の操作により作動ロッド３９を介して前記扉閉鎖装置３０により扉３を扉枠２に押付状態（引寄せ状態）とするものである。扉閉鎖装置３０は、扉３の戸先部分の上下部とこれと対応する扉枠２との間に設けてあり、扉枠２を枠組みする上枠２ｂと下枠２ｃとに回動自在に支持されたフック部材３１と、扉３の戸先上下部に夫々回動可能に設けられた係止部材３２とから成り、扉３の通常閉鎖により係止部材３２がフック部材３１と係合するようになっている。
【００１０】
戸先上下部の扉閉鎖装置３０は同一構成であるので戸先上部の扉閉鎖装置３０により説明する。フック部材３１は、図７に示すように、上枠２ｂに回動自在に枢着されている。このフック部材３１は、ばね部材３３によって扉３の開扉方向に付勢され、フック部材３１の先端３１ａが扉３側（下側）に突出している。
【００１１】
扉３の戸先側の縦框面（自由側端面）３ａの上下方向中間には、図２に示すように、扉３に着脱可能な操作手段４を嵌め込むための収納部６が設けられている。この収納部６に操作手段４が装着されている。操作手段４は、ケース３４のフロント板３４ｂの透孔３４ｃに挿通した取付ねじ５０を扉３に一体固着した取付板３ｂに螺合して取り付けるようになっている。操作手段４のケース３４の下板３４ａには、図２、図３に示すように、前記フック部材３１の回動軸線と直角に、即ち上下方向の支持軸３５が設けられている。その支持軸３５に押し引きハンドル５を取り付けるカム体３６の一端が揺動自在に支持されている。そのカム体３６の他端部分には、押し引きハンドル５が扉３の見込み方向両側から着脱可能に連結されている。押し引きハンドル５は、見込み方向への押し引きにより、支持軸３５を揺動中心として中立位置Ａとその両側で所定角度揺動した２つの揺動端位置Ｂ，Ｃとに揺動する。カム体３６の上面には位置決め部材３７が設置してある。その位置決め部材３７には複数の切欠溝３７ａ，３７ｂが形成してある。そして、ケース３４にはプランジャ３８が取り付けてあり、前記一方の溝３７ａに嵌まり込むと、カム体３６を介して押し引きハンドル５が中立位置Ａに弾性的に保持される｛図４（ａ）｝。もう一方の溝３７ｂに嵌まり込むと、カム体３６を介して押し引きハンドル５が他方の揺動端位置Ｃに弾性的に保持される｛図４（ｃ）｝。
【００１２】
また、ケース３４内には、軸受４６が設けられており、軸受４６に操作軸４７が軸支されている。操作軸４７の中間位置には、カム係合溝４７ａが形成されたカム係合部材４７ｂが一体に外嵌されている。そのカム係合溝４７ａには、カム体３６の他端上部先端に設けられた動作カム４０が係合している。操作軸４７の両端は、ケース３４の上板３４ｄと下板３４ａとから上下方向に突出している。操作軸４７の上下両端には、駆動係合部４８ａが形成されたキャップ４８が設けられている。駆動係合部４８ａは、図２、図５に示すように凸部に形成されており、その中心には位置決め凹部４８ｂが形成されている。操作軸４７は、押し引きハンドル５を中立位置Ａから一方の揺動端位置Ｂに揺動させた場合では、動作カム４０によって図４（ｂ）に示すように反時計回りに回転する。また、操作軸４７は、押し引きハンドル５を中立位置Ａから他方の揺動端位置Ｃに揺動させた場合では、動作カム４０によって図４（ｃ）に示すように前記と逆方向に時計回りに回転する。
【００１３】
扉３の戸先部分には、上下方向に伸びる上、下作動ロッド３９が回動自在に支持されている。上、下作動ロッド３９は中空パイプから成り、扉３の戸先荷重を軽減している。上、下作動ロッド３９の末端（下端及び上端）には、図２に示すように、樹脂製のロッドエンドキャップ４９が一体に固着されている。ロッドエンドキャップ４９は、扉３に装着された操作手段４の駆動係合部４８ａと係合する従動係合部４９ａが設けられている。従動係合部４９ａは、図６に示すように溝部に形成されており、作動ロッド３９の半径方向に伸びる開口両端部分４９ｃは半径方向外側に向うにつれて広がり、操作手段４を扉３に嵌め込む際に、駆動係合部４８ａと従動係合部４９ａとが係合しやすいようになっている。従動係合部４９ａの中心には位置決め突起４９ｂが突設されている。位置決め突起４９ｂは、駆動係合部４８ａの位置決め凹部４８ｂと嵌合して、操作軸４７と作動ロッド３９の回転軸心を一致し、操作軸４７と作動ロッド３９とが係脱するときに、操作軸４７や作動ロッド３９の弾性変形により位置決め凹部４８ｂに嵌め外し可能な突出量に設定されている。また、上、下作動ロッド３９の先端（上端及び下端）には、係止部材３２が取り付けてある。係止部材３２は、扉３に操作手段４が装着された状態で、押し引きハンドル５の操作により操作軸４７と一体に作動ロッド３９が回動することで、フック部材３１の回動軸線と直交する軸線回りに回動する。
【００１４】
図８、図９に示すように、係止部材３２のフック側面には、フック部材３１が係止する係止凹部３２ａと、係合部材３２が回転した時にフック部材３１を押し出してフック部材３１と係止部材３２との係合を解除する解除カム面３２ｂと、フック部材３１と係止凹部３２ａとの係合状態において係止部材３２が前記と逆に回転した時に、フック部材３１を介して扉３を扉枠２に押し付ける押付カム面３２ｃとを備えている。係止部材３２は、扉３が閉じられたとき、図７、図８に示すように、係止凹部３２ａにフック部材３１がばね部材３３によって自動ラッチングし、通常閉鎖が行われるようになっている。また、係止部材３２は、押し引きハンドル５が一方の揺動端位置Ｂに揺動した場合には、図１０、図１１の如く、解除カム面３２ｂがフック部材３１を押し出す押し出し角度位置Ｄに回動し、扉３を開放可能とする。また、係止部材３２は、押し引きハンドル５が他方の揺動端位置Ｃに揺動した場合には、図１２、図１３の如く、押付カム面３２ｃが押し付け角度位置Ｅに回動してフック部材３１を介して扉３を扉枠２に押し付けるようになっている。
【００１５】
操作手段４のフロント板３４ｂには、回り止め具（回り止めピン部材）５１を挿通する挿通孔３４ｅが穿設されている。また、ロッドエンドキャップ４９にも、挿通孔３４ｅと対応する位置で、回り止め具５１が挿通し、従動係合部４９ａの位相を固定する回転防止用孔４９ｄが設けられている。
【００１６】
操作手段４を修理、交換する場合には、押し引きハンドル５を中間位置Ａとして駆動係合部４８ａと従動係合部４９ａの位相を操作手段４の着脱方向に向ける。次に、化粧板３４ｆを取外した後、挿通孔３４ｅから回り止め具５１を扉３内を通して回転防止用孔４９ｄに嵌入し、作動ロッド３９の回転を固定する。その状態で、押し引きハンドル５を取外し、フロント板３４ｂから取付ねじ５０を外して、操作手段４を扉３から取出す。そして、修理した操作手段４または新しい操作手段４を扉３の収納部６に嵌め込み、位置決め凹部４８ｂに位置決め突起４９ｂを嵌合させ従動係合部４９ａと駆動係合部４８ａとを係合して操作軸４７と作動ロッド３９との回転軸心を一致させて連結する。この操作手段４の嵌め込みのとき、作動ロッド３９を固定しているので駆動係合部４８ａと従動係合部４９ａとが容易に係合する。次に、取付ねじ５０を螺合して扉３に操作手段４を固定し、回り止め具５１を抜き取り、化粧板３４ｆを取付け、押し引きハンドル５をカム体３６に取り付けると、操作手段４の交換が完了する。
【００１７】
【発明の効果】
以上のように本願発明によれば、扉の戸先部とこれと対応する扉枠との間に扉閉鎖装置を介在し、扉の戸先側の縦框面から操作手段を着脱可能に組付け、ハンドル操作により操作手段の上下方向軸線回りに回動する操作軸に設けた駆動係合部と、扉の戸先側に設けた上下方向軸線回りに回動する作動ロッドの操作軸との対向端部に設けた従動係合部とを、操作手段の扉への嵌め外しにより係脱して、係合状態において駆動係合部の回動を従動係合部に伝達するようにして、前記閉鎖装置を操作するようにしたので、操作手段を扉から外したときに、作動ロッドが自重によって落下せず、操作手段の着脱が容易に行える。また、操作軸の回動によって作動ロッドを回動し扉閉鎖装置を操作するので、従来のように作動ロッドの上下方向摺動を支持する支持部分を大きく設けなくても良いと共に上下方向摺動するスライダがなくなり操作手段が小さく軽くなり扉の戸先側重量を軽減できる。
【００１８】
また、操作手段の着脱の際に、作動ロッドの回転防止用孔に縦框から挿入された回り止め具を嵌合することで従動係合部の位相を固定でき、操作手段の取り付けの際に、従動係合部と駆動係合部とを容易に係合できるので、更に操作手段の取り付けが簡単に行える。そして、作動ロッドを中空パイプとし、作動ロッド末端に固着した樹脂製のロッドエンドキャップに従動係合部を形成すれば、扉の戸先側の荷重が更に軽くなる。
【図面の簡単な説明】
【図１】本発明の扉装置の正面図である。
【図２】操作手段の詳細図である。
【図３】図２のＩＩＩ―ＩＩＩ線断面図である。
【図４】押し引きハンドル（カム体）と軸部材との関係を示す図である。
【図５】駆動係合部の平面図である。
【図６】従動係合部の底面図である。
【図７】図１のＶＩＩ−ＶＩＩ線断面図である。
【図８】図７のＶＩＩＩ−ＶＩＩＩ線断面図である。
【図９】係止部材の概要を示す斜視図である。
【図１０】通常閉鎖状態から扉を開放させる状態を示す図である。
【図１１】図１０のＸＩ−ＸＩ線断面図である。
【図１２】通常閉鎖状態から扉を扉枠に押し付ける状態を示す図である。
【図１３】図１２のＸＩＩＩ−ＸＩＩＩ線断面図である。
【符号の説明】
１　扉装置
２　扉枠
３　扉
３ａ　縦框面
４　操作手段
５　押し引きハンドル
３０　扉閉鎖装置
３４　ケース
３９　作動ロッド
４７　操作軸
４８　駆動係合部
４８ａ　位置決め凹部
４９　ロッドエンドキャップ
４９ａ　従動係合部
４９ｂ　位置決め突起
４９ｄ　回転防止用孔
５１　回り止め具
【図１】
2004052321.tif 000003
【図２】
2004052321.tif 000004
【図３】
2004052321.tif 000005
【図４】
2004052321.tif 000006
【図５】
2004052321.tif 000007
【図６】
2004052321.tif 000008
【図７】
2004052321.tif 000009
【図８】
2004052321.tif 000010
【図９】
2004052321.tif 000011
【図１０】
2004052321.tif 000012
【図１１】
2004052321.tif 000013
【図１２】
2004052321.tif 000014
【図１３】
2004052321.tif 000015